(57)【要約】【課題】店舗の従業員の操作によらず、予約客自身の操作により、予約対象物である座席などの確保および解放を行えるようにする。【解決手段】予約管理情報記憶部１０６には、予約対象物毎に、その状態が予約済み、使用中あるいは未使用中の何れであるかを示す状態情報が登録され、且つ予約された予約対象物については、その予約対象物の状態情報に関連付けて予約ＩＤが登録されている。予約管理装置１０３は、予約客が予約ＩＤを入力可能な店舗側入力装置１０２から入力された予約ＩＤで予約管理情報記憶部１０６を検索し、上記予約ＩＤに関連付けて登録されている状態情報が予約済みを示している場合は、予約客が来店したと判定して使用中を示すものに変更し、使用中を示している場合は、予約客が離店すると判定して未使用中を示すものに変更する。【選択図】図１
2009199299.tif 000002
【特許請求の範囲】
【請求項１】
予約対象物毎に、その状態が予約済み、使用中あるいは未使用中の何れであるかを示す状態情報が登録され、且つ予約された予約対象物については、その予約対象物の状態情報に関連付けて予約ＩＤが登録される予約管理情報記憶部と、
前記予約対象物が存在する店舗に設置され且つ予約客が予約ＩＤを入力可能な店舗側入力装置と、
前記店舗側入力装置から入力された予約ＩＤで前記予約管理情報記憶部を検索し、前記予約ＩＤに関連付けて登録されている状態情報が予約済みを示している場合は使用中を示すものに変更し、使用中を示している場合は未使用中を示すものに変更する来店離店時管理情報変更手段とを備えたことを特徴とする予約管理システム。
【請求項２】
請求項１記載の予約管理システムにおいて、
前記予約管理情報記憶部には、予約ＩＤに関連付けて予約時刻が登録され、且つ、
前記予約管理情報記憶部に登録されている状態情報の内、予約済みを示し且つ関連付けて登録されている予約時刻が現在時刻よりも所定時間以上前の状態情報を、未使用中を示すものに変更する強制予約取り消し手段を備えたことを特徴とする予約管理システム。
【請求項３】
請求項１または２記載の予約管理システムにおいて、
ユーザ識別情報に関連付けて、離店時に前記店舗側入力装置から予約ＩＤを入力したか否かを示す入力操作情報が登録されるユーザ情報記憶部と、
予約指示に含まれているユーザ識別情報で前記ユーザ情報記憶部を検索し、前記ユーザ識別情報に関連付けて登録されている入力操作情報が、離店時に前記店舗側入力装置から予約ＩＤを入力していないことを示している場合は、予約を拒否する予約受け付け取り消し手段とを備えたことを特徴とする予約管理システム。
【請求項４】
請求項１乃至３の何れか１項に記載の予約管理システムにおいて、
前記店舗側入力装置が、ＩＣカードに記録された予約ＩＤを非接触で読み取るカードリーダから構成されることを特徴とする予約管理システム。
【請求項５】
請求項１乃至４の何れか１項に記載の予約管理システムにおいて、
前記店舗側入力装置が、複数の店舗にそれぞれ設置されていることを特徴とする予約管理システム。
【請求項６】
請求項１乃至５の何れか１項に記載の予約管理システムにおいて、
前記予約対象物が、店舗における座席であることを特徴とする予約管理システム。
【請求項７】
予約対象物毎に、その状態が予約済み、使用中あるいは未使用中の何れであるかを示す状態情報が登録され、且つ予約された予約対象物については、その予約対象物の状態情報に関連付けて予約ＩＤが登録される予約管理情報記憶部と、
前記予約対象物が存在する店舗に設置され且つ予約客が予約ＩＤを入力可能な店舗側入力装置から入力された予約ＩＤで前記予約管理情報記憶部を検索し、前記予約ＩＤに関連付けて登録されている状態情報が予約済みを示している場合は使用中を示すものに変更し、使用中を示している場合は未使用中を示すものに変更する来店離店時管理情報変更手段とを備えたことを特徴とする予約管理装置。
【請求項８】
請求項７記載の予約管理装置において、
前記予約管理情報記憶部には、予約ＩＤに関連付けて予約時刻が登録され、且つ、
前記予約管理情報記憶部に登録されている状態情報の内、予約済みを示し且つ関連付けて登録されている予約時刻が現在時刻よりも所定時間以上前の状態情報を、未使用中を示すものに変更する強制予約取り消し手段を備えたことを特徴とする予約管理装置。
【請求項９】
請求項７または８記載の予約管理装置において、
ユーザ識別情報に関連付けて、離店時に前記店舗側入力装置から予約ＩＤを入力したか否かを示す入力操作情報が登録されるユーザ情報記憶部と、
予約指示に含まれているユーザ識別情報で前記ユーザ情報記憶部を検索し、前記ユーザ識別情報に関連付けて登録されている入力操作情報が、離店時に前記店舗側入力装置から予約ＩＤを入力していないことを示している場合は、予約を拒否する予約受け付け取り消し手段とを備えたことを特徴とする予約管理装置。
【請求項１０】
請求項７乃至９の何れか１項に記載の予約管理装置において、
前記予約対象物が、店舗における座席であることを特徴とする予約管理装置。
【請求項１１】
予約対象物毎に、その状態が予約済み、使用中あるいは未使用中の何れであるかを示す状態情報が登録され、且つ予約された予約対象物については、その予約対象物の状態情報に関連付けて予約ＩＤが登録される予約管理情報記憶部を備えたコンピュータにより予約管理を行う予約管理方法であって、
前記コンピュータが、前記予約対象物が存在する店舗に設置され且つ予約客が予約ＩＤを入力可能な店舗側入力装置から入力された予約ＩＤで前記予約管理情報記憶部を検索し、前記予約ＩＤに関連付けて登録されている状態情報が予約済みを示している場合は使用中を示すものに変更し、使用中を示している場合は未使用中を示すものに変更する来店離店時管理情報変更ステップを含むことを特徴とする予約管理方法。
【請求項１２】
請求項１１記載の予約管理方法において、
前記予約管理情報記憶部には、予約ＩＤに関連付けて予約時刻が登録され、且つ、
前記コンピュータが、前記予約管理情報記憶部に登録されている状態情報の内、予約済みを示し且つ関連付けて登録されている予約時刻が現在時刻よりも所定時間以上前の状態情報を、未使用中を示すものに変更する強制予約取り消しステップを含むことを特徴とする予約管理方法。
【請求項１３】
請求項１１または１２記載の予約管理方法において、
前記コンピュータが、ユーザ識別情報に関連付けて、離店時に前記店舗側入力装置から予約ＩＤを入力したか否かを示す入力操作情報が登録されるユーザ情報記憶部を備え、且つ、
前記コンピュータが、予約指示に含まれているユーザ識別情報で前記ユーザ情報記憶部を検索し、前記ユーザ識別情報に関連付けて登録されている入力操作情報が、離店時に前記店舗側入力装置から予約ＩＤを入力していないことを示している場合は、予約を拒否する予約受け付け取り消しステップを含むことを特徴とする予約管理方法。
【請求項１４】
請求項１１乃至１３の何れか１項に記載の予約管理方法において、
前記予約対象物が、店舗における座席であることを特徴とする予約管理方法。
【請求項１５】
予約対象物毎に、その状態が予約済み、使用中あるいは未使用中の何れであるかを示す状態情報が登録され、且つ予約された予約対象物については、その予約対象物の状態情報に関連付けて予約ＩＤが登録される予約管理情報記憶部を備えたコンピュータを、予約管理装置として機能させるためのプログラムであって、
前記コンピュータを、
前記予約対象物が存在する店舗に設置され且つ予約客が予約ＩＤを入力可能な店舗側入力装置から入力された予約ＩＤで前記予約管理情報記憶部を検索し、前記予約ＩＤに関連付けて登録されている状態情報が予約済みを示している場合は使用中を示すものに変更し、使用中を示している場合は未使用中を示すものに変更する来店離店時管理情報変更手段として機能させるためのプログラム。
【請求項１６】
請求項１５記載のプログラムにおいて、
前記予約管理情報記憶部には、予約ＩＤに関連付けて予約時刻が登録され、且つ、
前記コンピュータを、
前記予約管理情報記憶部に登録されている状態情報の内、予約済みを示し且つ関連付けて登録されている予約時刻が現在時刻よりも所定時間以上前の状態情報を、未使用中を示すものに変更する強制予約取り消し手段として機能させるためのプログラム。
【請求項１７】
請求項１５または１６記載のプログラムにおいて、
前記コンピュータが、ユーザ識別情報に関連付けて、離店時に前記店舗側入力装置から予約ＩＤを入力したか否かを示す入力操作情報が登録されたユーザ情報記憶部を備え、且つ、
前記コンピュータを、
予約指示に含まれているユーザ識別情報で前記ユーザ情報記憶部を検索し、前記ユーザ識別情報に関連付けて登録されている入力操作情報が、離店時に前記店舗側入力装置から予約ＩＤを入力していないことを示している場合は、予約を拒否する予約受け付け取り消し手段として機能させるためのプログラム。
【請求項１８】
請求項１５乃至１７の何れか１項に記載のプログラムにおいて、
前記予約対象物が、店舗における座席であることを特徴とするプログラム。
【発明の詳細な説明】
【技術分野】
【０００１】
本発明は、飲食店における座席の予約管理などを行う予約管理技術に関し、特に、店舗の従業員の操作によらず予約客自身の操作によって、予約対象物である座席などの確保および解放を行うことができる予約管理技術に関する。
【背景技術】
【０００２】
座席や客室などの予約対象物が予約可能であるか否かをコンピュータ上で管理し、ユーザがＷｅｂなどを用いて空席、空室確認や座席、客室予約を行えるようにした予約管理システムは、交通機関や宿泊施設など予め決められたスケジュール通りに空席、空室が発生する業種では広く普及している。しかし、飲食店などのように空席発生のタイミングが客の行動に依存する業種では、余り普及していない。これは、それらの業種では、空席が発生する都度、店舗の従業員が予約管理システムに空席情報を入力する必要があるが、客の出入りが多い時間帯は従業員に余裕が無く空席情報の入力が難しいためである。そのため、客側には各店舗へ個別に電話をかけて空席を確認しなければならない不便が発生し、店舗側には空席があるにもかかわらず客から問い合わせが来ず販売機会を逸失するという不都合が発生していた。
【０００３】
このような課題に対応する技術として、次のような技術が知られている（例えば、特許文献１参照）。この特許文献１に記載されている予約管理システムは、ハンディターミナルと、ＰＯＳと、Ｗｅｂサーバと、空席予約情報データベースと、パーソナルコンピュータ（ＰＣ）と、携帯電話とから構成され、次のように動作する。店舗の空席情報は空席予約情報データベースで管理され、客はＰＣまたは携帯電話からＷｅｂサーバにアクセスし、空席確認、予約および予約の取り消しができる。一方、店舗の従業員は来店者のオーダー処理や会計処理をハンディターミナルで行い、その情報を元にＰＯＳが座席使用開始や空席発生の情報をＷｅｂサーバ経由で空席予約情報データベースに反映させる。これにより店員が空席管理システムに空席情報を入力する作業が自動化される。
【０００４】
一方、列車の座席予約システムにおいて、ユーザが予約した座席とユーザＩＤとを対応付けて管理しておき、ユーザが改札機にユーザＩＤを入力した場合、ユーザが予約している座席の指定券を発行すると共に、上記座席に関する座席枠データを発券済みを示すものに更新する技術も知られている（例えば、特許文献２参照）。
【０００５】
【特許文献１】特開２００２−２７９２６２号公報
【特許文献２】特開２００３−２８１２４０号公報
【発明の開示】
【発明が解決しようとする課題】
【０００６】
特許文献１に記載されている技術によれば、従業員が行うオーダー処理や会計処理に連動して空席情報が更新されるので、従業員の負担を低減させることはできる。しかしながら、オーダー処理も会計処理も従業員が行う操作であるため、ユーザ自身に空席情報を更新して座席を確保してもらったり、解放してもらうことができないという問題がある。一方、特許文献２に記載されている技術によれば、ユーザ自身が座席の確保を行うことはできるが、座席の解放を行うことができないという問題がある。
【０００７】
そこで、本発明の目的は、店舗の従業員の操作によらず、予約客自身の操作によって、座席などの予約対象物を確保および解放できるようにすることにある。
【課題を解決するための手段】
【０００８】
本発明にかかる第１の予約管理システムは、
予約対象物毎に、その状態が予約済み、使用中あるいは未使用中の何れであるかを示す状態情報が登録され、且つ予約された予約対象物については、その予約対象物の状態情報に関連付けて予約ＩＤが登録される予約管理情報記憶部と、
前記予約対象物が存在する店舗に設置され且つ予約客が予約ＩＤを入力可能な店舗側入力装置と、
前記店舗側入力装置から入力された予約ＩＤで前記予約管理情報記憶部を検索し、前記予約ＩＤに関連付けて登録されている状態情報が予約済みを示している場合は使用中を示すものに変更し、使用中を示している場合は未使用中を示すものに変更する来店離店時管理情報変更手段とを備えている。
【０００９】
本発明にかかる第１の予約管理装置は、
予約対象物毎に、その状態が予約済み、使用中あるいは未使用中の何れであるかを示す状態情報が登録され、且つ予約された予約対象物については、その予約対象物の状態情報に関連付けて予約ＩＤが登録される予約管理情報記憶部と、
前記予約対象物が存在する店舗に設置され且つ予約客が予約ＩＤを入力可能な店舗側入力装置から入力された予約ＩＤで前記予約管理情報記憶部を検索し、前記予約ＩＤに関連付けて登録されている状態情報が予約済みを示している場合は使用中を示すものに変更し、使用中を示している場合は未使用中を示すものに変更する来店離店時管理情報変更手段とを備えている。
【００１０】
本発明にかかる第１の予約管理方法は、
予約対象物毎に、その状態が予約済み、使用中あるいは未使用中の何れであるかを示す状態情報が登録され、且つ予約された予約対象物については、その予約対象物の状態情報に関連付けて予約ＩＤが登録される予約管理情報記憶部を備えたコンピュータにより予約管理を行う予約管理方法であって、
前記コンピュータが、前記予約対象物が存在する店舗に設置され且つ予約客が予約ＩＤを入力可能な店舗側入力装置から入力された予約ＩＤで前記予約管理情報記憶部を検索し、前記予約ＩＤに関連付けて登録されている状態情報が予約済みを示している場合は使用中を示すものに変更し、使用中を示している場合は未使用中を示すものに変更する来店離店時管理情報変更ステップを含む。
【００１１】
本発明にかかる第１のプログラムは、
予約対象物毎に、その状態が予約済み、使用中あるいは未使用中の何れであるかを示す状態情報が登録され、且つ予約された予約対象物については、その予約対象物の状態情報に関連付けて予約ＩＤが登録される予約管理情報記憶部を備えたコンピュータを、予約管理装置として機能させるためのプログラムであって、
前記コンピュータを、
前記予約対象物が存在する店舗に設置され且つ予約客が予約ＩＤを入力可能な店舗側入力装置から入力された予約ＩＤで前記予約管理情報記憶部を検索し、前記予約ＩＤに関連付けて登録されている状態情報が予約済みを示している場合は使用中を示すものに変更し、使用中を示している場合は未使用中を示すものに変更する来店離店時管理情報変更手段として機能させる。
【発明の効果】
【００１２】
本発明によれば、店舗の従業員の操作によらず予約客自身の操作によって、予約対象物である座席などの確保および解放を行うことが可能になるという効果を得ることができる。
【発明を実施するための最良の形態】
【００１３】
次に、本発明を実施するための最良の形態について図面を参照して詳細に説明する。
【００１４】
〔本発明の第１の実施の形態〕
図１を参照すると、本発明の第１の実施の形態は、客側入力装置１０１と、店舗側入力装置１０２と、予約管理装置１０３と、客側出力装置１０４と、記憶装置１０５とから構成され、店舗における座席の予約管理を行う。
【００１５】
記憶装置１０５は、ディスク装置などのよって実現されるものであり、予約管理情報記憶部１０６を備えている。この予約管理情報記憶部１０６には、予約対象である座席毎に、その状態が予約済み、使用中あるいは未使用中の何れであるのかを示す状態情報が登録されている。ここで、予約済みとは、予約を受け付けてから予約客が来店して座席を使用するまでの状態を示す。また、使用中とは、予約客によって座席が使用されている状態を示す。また、未使用中とは、予約も使用も可能な状態を示す。
【００１６】
更に、予約された座席については、その座席の状態情報に関連付けて、予約ＩＤと予約時刻とが登録される。予約ＩＤは、予約客に対して発行したユニークなＩＤであり、予約客が複数の座席を予約した場合には、上記複数の座席に関連付けて同じ予約ＩＤが登録される。
【００１７】
図２は予約管理情報記憶部１０６の内容例を示す図である。なお、図２の内容例は、ある１日のある時間帯における予約管理情報（１つの予約管理単位についての予約管理情報）のみを示している。予約管理情報記憶部１０６には、このような予約管理情報が、予約管理単位毎に登録されている。同図の例は、座席番号＃１、＃２の座席は予約済み、座席番号＃３の座席は使用中、座席番号＃４の座席は未使用中であることを示している。また、座席番号＃１、＃２の座席を予約した予約客には、予約ＩＤ「ＩＤａ」を発行し、予約時刻がｔ１であることを示している。
【００１８】
客側入力装置１０１は、ユーザの操作に応じて、予約管理装置１０３に対して、空席の検索指示（例えば、窓際の座席などの座席の検索条件を含む）、座席の予約指示あるいは予約取り消し指示を送信する機能を有する。客側出力装置１０４は、空席の検索指示に応答して予約管理装置１０３から送られてきた検索結果や、座席の予約指示に応答して予約管理装置１０３から送られてきた予約ＩＤや、予約取り消し指示に応答して予約管理装置１０３から送られてきた予約取り消し完了通知を表示部（図示せず）に表示するなどして、ユーザ（客側入力装置１０１を操作するユーザと同一のユーザ）に提示する機能を有する。
【００１９】
店舗側入力装置１０２は、店舗内の予約客が操作可能な位置に設置され、予約客が行う操作に従って予約管理装置１０３に対して予約ＩＤを送信する機能を有する。
【００２０】
予約管理装置１０３は、客側入力装置１０１から送られてくる検索指示、予約指示、予約取り消し指示や、店舗側入力装置１０２から送られてくる予約ＩＤに基づいて予約管理を行う装置であり、図３に示すように、送受信部１０３１および制御部１０３２を備えている。
【００２１】
送受信部１０３１は、客側入力装置１０１、店舗側入力装置１０２および客側出力装置１０４との間でデータをやり取りする機能を有する。
【００２２】
制御部１０３２には、予約受け付け取り消し手段１０３３と、来店離店時管理情報変更手段１０３４と、強制予約取り消し手段１０３５とが設けられている。
【００２３】
予約受け付け取り消し手段１０３３は、次のような機能を有する。
【００２４】
・客側入力装置１０１から空席の検索指示が送られてきた場合、それに含まれている座席の検索条件に合った空席（状態情報が未使用中となっている座席）を予約管理情報記憶部１０６からを検索し、検索結果（例えば、検索条件に合った空席を検索できなかった場合は、その旨を示すメッセージ、検索できた場合は、検索された空席の座席番号の一覧と店舗内の座席の配置図など）を客側出力装置１０４に送信する機能。
・客側入力装置１０１から予約を希望する座席番号および予約時刻を含む予約指示が送られてきた場合、他の予約が入らないようにするため、予約管理情報記憶部１０６に格納されている状態情報の内の、上記座席番号に対応する状態情報を予約済みを示すものに変更する（状態情報を予約済みに変更するという場合もある）と共に、上記座席番号に関連付けてユニークな予約ＩＤおよび予約時刻を登録し、更に、客側出力装置１０４に予約ＩＤを送信する機能。
・客側入力装置１０１から予約ＩＤを含む予約取り消し指示が送られてきた場合、予約管理情報記憶部１０６に登録されている状態情報の内、上記予約ＩＤに対応付けて登録されている状態情報を未使用中に変更して他の予約を入れられるようにする機能。
【００２５】
来店離店時管理情報変更手段１０３４は、店舗側入力装置１０２から予約ＩＤが入力されたとき、その予約ＩＤで予約管理情報記憶部１０６を検索し、上記予約ＩＤに関連付けて登録されている状態情報が予約済みの場合は、予約客が来店したと判断して上記予約ＩＤに対応する状態情報を使用中に変更し、強制予約取り消し手段１０３５の処理対象から外す。また、上記予約ＩＤに関連付けて登録されている状態情報が使用中の場合は、予約客が店舗から出る（離店）すると判断し、上記予約ＩＤに対応する状態情報を未使用中に変更し、他の予約を入れられるようにする。
【００２６】
強制予約取り消し手段１０３５は、予約管理情報記憶部１０６に登録されている状態情報の内、予約済みを示し且つ関連付けて登録されている予約時刻が現在時刻よりも所定時間以上前の状態情報を、未使用中を示すものに変更する機能を有する。
【００２７】
なお、予約管理装置１０３は、図４に示すように、ディスク、半導体メモリなどの記録媒体Ｋに記録されている予約管理プログラムＰを実行するコンピュータＣによって実現することができる。コンピュータＣは、記録媒体Ｋに記録されている予約管理プログラムＰを読み込んで実行することにより、自コンピュータＣ上に、送受信部１０３１および制御部１０３２を実現する。また、図１では、図示していないが、予約管理情報記憶部１０６の内容を表示、変更することができるパーソナルコンピュータ等の処理装置を店舗に配置し、店員がこの情報処理装置を利用して、予約を入れずに店舗を訪れたユーザに提供する空席を探したり、上記ユーザに提供した座席の状態情報を使用中に変更するようにしてもよい。
【００２８】
〔第１の実施の形態の動作の説明〕
次に、本実施の形態の動作について詳細に説明する。
【００２９】
ユーザは、座席の予約を行う場合、先ず、客側入力装置１０１を用いて予約管理装置１０３に対して空席の検索指示を送信する。これにより、予約管理装置１０３内の予約受け付け取り消し手段１０３３は、図５に示すように、ユーザから送信された検索指示を入力して予約管理情報記憶部１０６を検索し、検索結果を上記ユーザの客側出力装置１０４へ送信する（ステップＳ５１〜Ｓ５３）。客側出力装置１０４は、検索結果を表示部（図示せず）に表示するなどしてユーザに提示する（ステップＳ５３）。ここで、検索条件に合う座席を検索できた場合は、検索結果としてその座席を示す情報を送信し、検索できなかった場合は、その旨を送信する。なお、検索条件に合う空席を検索できなかった場合には、前回とは異なる検索条件を含んだ検索指示の入力をユーザに許可し、ユーザによって新たな検索指示が入力された場合、再びステップＳ５１〜Ｓ５３の処理を行うようにしても良い。また、検索できなかった場合は、ステップＳ５３を実行後、処理を終了するようにしても良い。
【００３０】
ユーザ（予約客）は、客側出力装置１０４に表示された検索結果に基づいて、予約する座席を決定すると、その座席番号および予約時刻を含む予約指示を、客側入力装置１０１を用いて予約管理装置１０３へ送信する。
【００３１】
予約管理装置１０３内の予約受け付け取り消し手段１０３３は、客側入力装置１０１から予約指示が送られてくると（ステップＳ５４）、ユニークな予約ＩＤを生成する（ステップＳ５５）。次いで、予約受け付け取り消し手段１０３３は、予約指示に含まれている座席番号に対応する状態情報を予約済みに変更し、更に、上記状態情報に関連付けて予約ＩＤおよび予約時刻を登録する。例えば、予約指示に、座席番号＃１、＃２、予約時刻ｔ１が含まれ、ステップＳ５５で生成された予約ＩＤがＩＤａであれば、予約管理情報記憶部１０６の内容は、図２に示すものとなる。その後、予約受け付け取り消し手段１０３３は、ステップＳ５５で生成した予約ＩＤを客側出力装置１０４へ送信し（ステップＳ５７）、客側出力装置１０４は予約管理装置１０３から送られてきた予約ＩＤを表示するなどしてユーザに提示する。この予約ＩＤは、ユーザが予約を行ったことを証明するために利用される。
【００３２】
その後、予約した店舗に到着すると、ユーザ（予約客）は、予約証明のための予約ＩＤを店舗側入力装置１０２を用いて入力する。この予約ＩＤは、予約管理装置１０３に送信される。
【００３３】
予約管理装置１０３内の来店離店時管理情報変更手段１０３４は、店舗側入力装置１０２から送られてきた予約ＩＤで予約管理情報記憶部１０６を検索する（図６のステップＳ６１）。
【００３４】
その後、検索した予約ＩＤに関連付けて登録されている状態情報が、予約済みを示しているか、それとも使用中を示しているかを調べる（ステップＳ６２）。予約客の来店時には、状態情報は予約済みを示しているので（ステップＳ６２がＹＥＳ）、来店離店時管理情報変更手段１０３４は、上記予約ＩＤと対応する状態情報を使用中に変更し、予約客に座席を確保させる（ステップＳ６３）。
【００３５】
予約客は、飲食などが済み、店舗から出る場合（離店時）には、来店時と同様に店舗側入力装置１０２から予約ＩＤを入力する。この予約ＩＤは、予約管理装置１０３へ送られ、これにより、来店離店時管理情報変更手段１０３４が図６のフローチャートに示す処理を行う。この場合、上記予約ＩＤに対応する状態情報は、予約客の来店時に使用中に変更されているので、ステップＳ６２の判断結果はＮＯとなる。従って、来店離店時管理情報変更手段１０３４は、上記ユーザＩＤに対応する状態情報を未使用中に変更すると共に、この状態情報と関連付けて登録されている予約ＩＤおよび予約時刻を削除する（ステップＳ６４）。これにより、予約客によって確保されていた座席は解放され、他の予約を受け付けられるようになる。
【００３６】
次に、予約客自身が予約を取り消す場合の動作を説明する。予約客は、予約を取り消す場合、予約時に受け取った予約ＩＤを含む予約取り消し指示を、客側入力装置１０１を用いて予約管理装置１０３へ送信する。
【００３７】
予約管理装置１０３内の予約受け付け取り消し手段１０３３は、予約取り消し指示が送られてくると（図７のステップＳ７１）、それに含まれている予約ＩＤで予約管理情報記憶部１０６を検索し、上記予約ＩＤと関連付けて登録されている状態情報を未使用中に変更すると共に、この状態情報と関連付けて登録されている予約ＩＤおよび予約時刻を削除する（ステップＳ７２）。
【００３８】
その後、予約受け付け取り消し手段１０３３は、予約客の客側出力装置１０４に対して予約取り消し完了通知を送信する（ステップＳ７３）。これを受信した客側出力装置１０４は、予約取り消し完了通知を表示部に表示するなどして予約客に提示する。
【００３９】
次に、予約時刻を過ぎても店舗を訪れない予約客の予約を取り消す、強制予約取り消し手段１０３５の動作について、図８のフローチャートを参照して説明する。
【００４０】
強制予約取り消し手段１０３５は、所定時間毎（例えば、１分毎）に図８のフローチャートに示す処理を行う。
【００４１】
先ず、強制予約取り消し手段１０３５は、予約管理情報記憶部１０６に格納されているレコードの１つに注目し、そのレコード中の状態情報が予約済みを示しているか否かを調べる（ステップＳ８１、Ｓ８３）。そして、予約済みでない場合（ステップＳ８３がＮＯ）は、次のレコードに注目する（ステップＳ８１）。これに対して、予約済みを示している場合（ステップＳ８３がＹＥＳ）は、注目レコード中の予約時刻から現在時刻が所定時間以上経過しているか否かを調べる（ステップＳ８４）。
【００４２】
そして、所定時間以上経過していない場合（ステップＳ８４がＮＯ）、次のレコードに注目する（ステップＳ８１）。これに対して、所定時間以上経過している場合（ステップＳ８４がＹＥＳ）は、注目中のレコードの状態情報を未使用中に変更すると共に、そのレコード中の予約ＩＤおよび予約時刻を削除し（ステップＳ８５）、その後、次のレコードに注目する（ステップＳ８１）。強制予約取り消し手段１０３５は、未注目のレコードがなくなるまで、上記した処理を繰り返し行う。以上の処理により、予約時刻を所定時間以上過ぎても店舗を訪れなかった予約客が確保していた座席を解放し、他の予約を受け付けることが可能になる。
【００４３】
本実施の形態では予約客が離店する際に予約ＩＤを店舗側入力端末１０２に入力することを前提としているが、予約客に予約ＩＤを店舗側入力端末１０２へ入力するモチベーションを与えるため、予約ＩＤを入力することで会計を割り引くようにしたり、携帯電話装置とカードリーダの組み合わせによって可能になる電子決済機能を利用して会計処理と予約ＩＤの入力を同時に行うようにしても良い。例えば、店舗側入力装置１０２に割引券を発行する機能を持たせ、来店離店時管理情報変更手段１０３４において離店時に店舗側入力装置１０２から予約ＩＤが入力されたと判断した場合（図６のステップＳ６２の判断結果がＮＯとなった場合）、店舗側入力装置１０２に対して割引券発行指示を出力し、予約ＩＤを入力したユーザに対して割引券を配布するようにしても良い。
【００４４】
〔第１の実施の形態の効果〕
本実施の形態によれば、店舗の従業員の操作によらず、予約客自身の操作によって、予約対象物である座席の確保および解放を行うことが可能になるという効果を得ることができる。その理由は、予約客自身が予約ＩＤを入力可能な店舗側入力装置１０２を備えると共に、店舗側入力装置１０２から予約ＩＤが入力された時に入力された予約ＩＤに関連付けて登録されている状態情報が予約済みの場合には（予約客が来店したと判断した場合には）上記予約ＩＤに関連付けて登録されている状態情報を使用中に変更して予約客に予約した座席を確保させ、使用中の場合には（予約客が離店すると判断した場合には）上記予約ＩＤに関連付けて登録されている状態情報を未使用中に変更してユーザが確保していた座席を解放する予約受け付け取り消し手段１０３３を備えているからである。
【００４５】
また、本実施の形態によれば、予約時刻を過ぎても来店しなかった予約客のために確保しておいた座席を自動的に解放することができるという効果を得ることもできる。その理由は、予約管理情報記憶部１０６に登録されている状態情報の内、予約済みを表示し且つ関連付けて登録されている予約時刻が現在時刻よりも所定時間以上前の状態情報を、未使用中を示すものに変更する強制予約取り消し手段１０３５を備えているからである。
【００４６】
〔本発明の第２の実施の形態〕
次に、本発明の第２の実施の形態について説明する。本実施の形態は、離店時に店舗側入力装置に予約ＩＤを入力しなかったユーザに対しては次回以降の予約を制限することにより、ユーザに予約ＩＤの入力を促すようにしたことを特徴とする。
【００４７】
図９を参照すると、本実施の形態は、客側入力装置２０１と、店舗側入力装置２０２と、予約管理装置２０３と、客側出力装置２０４と、記憶装置２０５とを備えている。
【００４８】
客側入力装置２０１は、予約する座席の座席番号および予約時刻に加えてユーザ自身に付与されている会員番号などのユーザ識別情報を含んだ予約指示を予約管理装置に対して送信する点が、第１の実施の形態の客側入力装置１０１と相違している。
【００４９】
店舗側入力装置２０２および客側出力装置２０４は、第１の実施の形態の店舗側入力装置１０２および客側出力装置１０４と同様のものである。
【００５０】
記憶装置２０５には、予約管理情報記憶部２０６およびユーザ情報記憶部２０７とが設けられている。予約管理情報記憶部２０６は、第１の実施の形態の予約管理情報記憶部２０６と同様のものである。ユーザ情報記憶部２０７には、図１０に示すように、予約サービスを利用可能なユーザのユーザ識別情報に対応付けて予約ＩＤやユーザの個人情報（氏名、メールアドレス等；図示省略）が登録される。なお、後述するように、ユーザ情報記憶部２０７に登録されている予約ＩＤは、予約客が離店時に店舗側入力装置２０２から予約ＩＤを入力することにより削除されるものである。従って、ユーザが離店時に店舗側入力装置２０２から予約ＩＤを入力したか否かは、そのユーザのユーザ識別情報に対応付けて予約ＩＤが登録されているか否かに基づいて判断することができる。
【００５１】
予約管理装置２０３は、図１１に示すように、送受信部２０３１と、制御部２０３２とを備えている。制御部２０３２は、予約受け付け取り消し手段２０３３、来店離店時管理情報変更手段２０３４および強制予約取り消し手段２０３５とを備えている。
【００５２】
予約受け付け取り消し手段２０３３は、座席番号、予約時刻およびユーザ識別情報を含む予約指示が客側入力装置２０１から送られてきたとき、ユーザ識別情報でユーザ情報記憶部２０７を検索し、そのユーザ識別情報に対応付けて予約ＩＤが登録されている場合には、離店時に予約ＩＤを入力しなかったユーザであると判断して予約を拒否する点、およびユーザが予約取り消し指示を送信してきたときに、上記ユーザのユーザ識別情報と対応付けて登録されている予約ＩＤをユーザ情報記憶部２０７から削除する点が、第１の実施の形態における予約受け付け取り消し手段１０３３との主な相違点である。
【００５３】
来店離店時管理情報変更手段２０３４は、離店時にユーザが店舗側入力装置２０２から予約ＩＤを入力した場合、ユーザ情報記憶部２０７を検索し、ユーザ情報記憶部２０７から上記予約ＩＤと一致する予約ＩＤを削除する点が、第１の実施の形態における来店離店時管理情報変更手段１０３４との主な相違点である。
【００５４】
強制予約取り消し手段２０３５は、予約時刻を過ぎても店舗を訪れなかったユーザの予約を取り消す際、ユーザ記憶部記憶部２０７中の予約ＩＤも削除する点が、第１の実施の形態における強制予約取り消し手段１０３５との主な相違点である。
【００５５】
なお、本実施の形態の予約管理装置２０３も第１の実施の形態の予約管理装置と同様にコンピュータによって実現可能である。
【００５６】
〔第２の実施の形態の動作の説明〕
次に本実施の形態の動作について説明する。
【００５７】
ユーザは、店舗に予約を入れる場合、第１の実施の形態と同様にして空席管理部２０３から空席の検索結果を取得する。その際、予約管理装置２０３においては、前述したステップＳ５１〜Ｓ５３と同様の処理が行われる（図１２のステップＳ１２１〜Ｓ１２３）。その後、ユーザは客側入力装置２０１を用いて、予約を希望する座席番号、予約時刻およびユーザ識別情報（本実施の形態ではユーザに付与されている会員番号とするが、これに限られるものではない）を含んだ予約指示を予約管理装置２０３へ送信する。
【００５８】
予約管理装置２０３内の予約受け付け取り消し手段２０３３は、予約指示を受信すると、予約指示に含まれているユーザ識別情報をキーにしてユーザ情報記憶部２０７を検索する（ステップＳ１２４、Ｓ１２５）。
【００５９】
その後、検索したユーザ識別情報に関連付けて予約ＩＤが登録されているか否かを調べる（ステップＳ１２６）。
【００６０】
そして、過去の予約ＩＤが登録されたままの場合、即ち予約指示を送信してきたユーザが、前回来店した際の離店時に予約ＩＤを入力しなかったユーザである場合（ステップＳ１２６がＹＥＳ）は、ネットワークを利用した予約はできない旨のメッセージなどを客側出力装置２０４へ送信する（ステップＳ１２７）。
【００６１】
これに対して、過去の予約ＩＤが残っていない場合（ステップＳ１２６がＮＯ）は、ユニークな予約ＩＤを生成し（ステップＳ１２８）、ユーザ情報記憶部２０７にユーザ識別情報と対応付けて上記予約ＩＤを登録する（ステップＳ１２９）。次に、予約受け付け取り消し手段２０３３は、予約指示に含まれている座席番号で予約管理情報記憶部２０６を検索し、検索した座席番号に対応する状態情報を予約済みに変更すると共に、それに対応付けて予約ＩＤ、予約時刻を登録する（ステップＳ１２９ａ）。その後、予約受け付け取り消し手段２０３３は、客側出力装置２０４に対して、ステップＳ１２８で生成した予約ＩＤを送信する（ステップＳ１２９ｂ）。
【００６２】
次に、予約客（ユーザ）が店舗を訪れた場合の動作を説明する。予約客は、店舗を訪れると、店舗側入力装置２０２を操作し、予約ＩＤを入力する。これにより、予約管理装置２０３内の来店離店時管理情報変更手段２０３４は、第１の実施の形態で説明したステップＳ６１〜Ｓ６３と同様の処理を行うことにより、予約管理情報記憶部２０６に格納されている状態情報の内、入力された予約ＩＤと関連付けて登録されている状態情報を使用中を表示するものに変更する（ステップＳ１３１〜Ｓ１３３）。
【００６３】
次に、予約客が飲食などを終え、店舗から出る場合の動作を説明する。予約客は、離店時、店舗側入力装置２０２から予約ＩＤを入力する。これにより、来店離店時管理情報変更手段２０３４は、第１の実施の形態で説明したステップＳ６１、Ｓ６２、Ｓ６４と同様の処理を行い、予約管理情報記憶部２０６に格納されている状態情報の内、入力された予約ＩＤと関連付けて登録されている状態情報を未使用中に変更すると共に、予約ＩＤおよび予約時刻を削除する（ステップＳ１３１、Ｓ１３２、Ｓ１３４）。その後、来店離店時管理情報変更手段２０３４は、ユーザ情報記憶部２０７に登録されている予約ＩＤの内、店舗側入力装置２０２から入力された予約ＩＤと一致するものを削除する（ステップＳ１３５）。これにより、上記ユーザは、次回の予約を行うことが可能になる。
【００６４】
次に、予約客自身が予約を取り消す場合の動作について説明する。予約客は、予約を取り消す場合、ユーザ識別情報および予約時に受け取った予約ＩＤを含む予約取り消し指示を、客側入力装置２０１を用いて予約管理装置２０３へ送信する。
【００６５】
予約管理装置２０３内の予約受け付け取り消し手段２０３３は、図１４のフローチャートに示すように、予約取り消し指示を入力すると（ステップＳ１４１）、予約取り消し指示中のユーザ識別情報でユーザ情報記憶部２０７を検索し、上記ユーザ識別情報に関連付けて登録されている予約ＩＤを削除する（ステップＳ１４２）。その後、予約受け付け取り消し手段２０３３は、第１の実施の形態で説明したステップＳ７２、Ｓ７３と同様の処理を行うことにより、予約管理情報記憶部２０６から該当する情報を削除し、予約取り消しが完了した旨を通知する（ステップＳ１４３、Ｓ１４４）。
【００６６】
次に、予約時刻を過ぎても店舗を訪れない予約客の予約を取り消す、強制予約取り消し手段２０３５の動作について、図１５のフローチャートを参照して説明する。
【００６７】
強制予約取り消し手段２０３５は、所定時間毎に図１５のフローチャートに示す処理を行う。この図１５のステップＳ１５１〜Ｓ１５５では、第１の実施の形態で説明したステップＳ８１〜Ｓ８５と同様の処理が行われ、予約時間を過ぎても店舗を訪れない予約客に関する情報が予約管理情報記憶部２０６から削除される。ステップＳ１５６では、予約管理情報記憶部２０６から削除した予約ＩＤでユーザ情報記憶部２０７を検索し、上記予約ＩＤと一致する予約ＩＤを削除する処理が行われる。以上の処理は、予約管理情報記憶部２０６に未注目のレコードがなくなるまで、繰り返し行われる。
【００６８】
なお、本実施の形態では、ユーザ情報記憶部２０７に予約ＩＤが登録されたままになっているか否かに基づいて、次回の予約を許可するか否かを制御するようにしたが、ユーザ識別情報に対応付けて離店時に予約ＩＤを入力したか否かを示すフラグが登録される記憶部を設け、このフラグに基づいて次回の予約を許可するか否かを制御するようにしても良い。
【００６９】
〔第２の実施の形態の効果〕
本実施の形態によれば、離店時に予約客が予約ＩＤを入力する割合を高いものにすることができる。その理由は、予約指示に含まれているユーザ識別情報でユーザ情報記憶部２０７を検索し、ユーザが前回の離店時に店舗側入力装置２０２から予約ＩＤを入力していなかった場合は、予約を拒否する予約受け付け取り消し手段２０３３を備えているからである。
【００７０】
〔本発明の第３の実施の形態〕
次に、本実施の形態の第３の実施の形態について説明する。本実施の形態は、ユーザが複数の店舗の空席情報を検索できるようにすると共に、上記複数の店舗において、従業員の操作によらずユーザ自身の操作によって座席の確保および解放を行えるようにしたことを特徴とする。
【００７１】
図１６を参照すると、本発明の第３の実施の形態は、客側入力装置３０１と、店舗毎の店舗側入力装置３０２−１〜３０２−ｎと、予約管理装置３０３と、客側出力装置３０４と、予約管理情報記憶部３０６が設けられた記憶装置３０５とから構成されている。
【００７２】
客側入力装置３０１、客側出力装置３０４、店舗側入力装置３０２−１〜３０２−ｎは、第１の実施の形態における客側入力装置１０１、客側出力装置３０４、１０２と同様のものである。
【００７３】
予約管理情報記憶部３０６には、店舗毎に、その店舗における各座席の状態が予約済み、使用中、未使用中の何れであるのかを示す状態情報が登録されている。更に、状態情報が予約済みの状態情報に関連付けて予約ＩＤおよび予約時刻が登録されている。図１７は、予約管理情報記憶部３０６の内容例を示す図である。同図の例は、店舗ＩＤがＴ１の店舗における座席番号＃１、＃２…の座席は、未使用中、予約済み、…であり、座席番号＃２の座席を予約したユーザには、予約ＩＤ「ＩＤｘ」を発行し、予約時刻がｔｘであることを示している。
【００７４】
予約管理装置３０３は、図３に示した第１の実施の形態における予約管理装置１０３と同様の構成を有する。但し、送受信部１０３１に複数の店舗側入力装置３０２−１〜３０２−ｎが接続されている点が第１の実施の形態とは相違している。また、本実施の形態における予約受け付け取り消し手段１０３３は、空席の検索指示が客側入力装置３０１から送られてきた場合、予約情報記憶部３０６を検索し、検索結果として各店舗毎の空席の一覧を客側出力装置３０４へ送信する点が第１の実施の形態と相違している。その他は第１の実施の形態と同様である。
【００７５】
なお、上述した各実施の形態では、予約対象物を座席としたが、これに限定されるものではなく、店舗内において貸し出されるＣＤ、ＤＶＤなどを予約対象物とすることができる。
【００７６】
〔第３の実施の形態の効果〕
本実施の形態によれば、複数の店舗において、従業員の操作によらず、予約客自身の操作によって予約対象物である座席を確保および解放することが可能になるという効果を得ることができる。その理由は、店舗毎に店舗側入力装置３０２−１〜３０２−ｎを備えているからである。更に、本実施の形態によれば、ユーザは、複数の店舗の空き状況を確認でき、店舗毎に空席を検索しなくとも良いという効果を得ることができる。その理由は、複数の店舗についての予約管理情報が登録された予約管理情報記憶部３０６を備えているからである。
【００７７】
〔第１の実施の形態の実施例〕
次に、図１８を参照して第１の実施の形態の実施例について説明する。図１８を参照すると、第１の実施の形態における客側入力装置１０１および客側出力装置１０４は、携帯電話装置４０１によって実現されている。また、第１の実施の形態における店舗側入力装置１０２は、カードリーダ４０２と、パーソナルコンピュータ（ＰＣ）４０３とから実現されている。また、第１の実施の形態における予約管理装置１０３は、Ｗｅｂサーバ４０４と、空席管理装置４０５とから実現される。
【００７８】
ユーザは、Ｗｅｂブラウザ機能や電子メール受信機能を持つ携帯電話装置を利用して、空席の検索指示、予約指示、予約取り消し指示をＷｅｂサーバ４０４へ送信する。空席管理装置４０５は、Ｗｅｂサーバ４０４が受信した空席の検索指示、予約指示、予約取り消し指示に応じた処理を行う。
【００７９】
携帯電話装置４０１は、予約指示に応答して予約ＩＤがＷｅｂサーバ４０４から返されると、それをＷｅｂブラウザの画面に表示したり、内蔵しているＩＣカードなどの記憶媒体に記録する。なお、携帯電話装置４０１は、Ｗｅｂブラウザの機能を持つＰＣなどでも代用できる。
【００８０】
ユーザは、予約した店舗を訪れると、店舗側入力装置１０２を用いて予約ＩＤを入力する。本実施例では、予約ＩＤの入力を容易にするため、カードリーダ４０２を用意している。カードリーダ４０２は、例えば、携帯電話装置４０１に内蔵されているＩＣカードから非接触で予約ＩＤを入力する。なお、カードリーダ４０２の代わりに、バーコードリーダや文字リーダを用い、携帯電話装置４０１の画面に表示された予約ＩＤを読み取る構成とすることもできる。
【００８１】
〔実施例の効果〕
本実施例によれば、予約客が店舗側入力装置１０２から容易に予約ＩＤを入力することが可能になるという効果を得ることができる。その理由は、店舗側入力装置１０１を、予約ＩＤが記録されているＩＣカードから非接触で予約ＩＤを読み取るカードリーダ４０２あるいは、携帯電話装置４０１の画面にバーコードや文字などによって表示された予約ＩＤを読み取るバーコードリーダや文字リーダなどの読み取り装置を用いて構成したからである。
【産業上の利用可能性】
【００８２】
本発明は、飲食店などのような座席単位でサービスを提供するような業種や、店舗内でＣＤやＤＶＤを貸し出して店内においてそれらを視聴させる業種などの予約管理に適用すると好適である。
【図面の簡単な説明】
【００８３】
【図１】本発明の第１の実施の形態の構成例を示すブロック図である。
【図２】予約管理情報記憶部１０６の内容例を示す図である。
【図３】予約管理装置１０３の構成例を示すブロック図である。
【図４】予約管理装置１０３をコンピュータＣによって実現した場合の構成を示すブロック図である。
【図５】空席の検索指示、予約指示を受信したときの予約受け付け取り消し手段１０３３の処理を説明するためのシーケンス図である。
【図６】来店離店時管理情報変更手段１０３４の処理例を示すフローチャートである。
【図７】予約取り消し指示を受信したときの予約受け付け取り消し手段２０３３の処理例を説明するためのシーケンス図である。
【図８】強制予約取り消し手段１０３５の処理例を示すフローチャートである。
【図９】本発明の第２の実施の形態の構成例を示すブロック図である。
【図１０】ユーザ情報記憶部２０７の内容例を示すブロック図である。
【図１１】予約管理装置２０３の構成例を示すブロック図である。
【図１２】予約指示を受信したときの予約受け付け取り消し手段２０３３の処理例を示すフローチャートである。
【図１３】来店離店時管理情報変更手段２０３４の処理例を示すフローチャートである。
【図１４】予約取り消し指示を受信したときの予約受け付け取り消し手段２０３３の処理例を示すフローチャートである。
【図１５】強制予約取り消し手段２０３５の処理例を示すフローチャートである。
【図１６】本発明の第３の実施の形態の構成例を示すブロック図である。
【図１７】予約管理情報記憶部３０６の内容例を示す図である。
【図１８】第１の実施の形態の実施例のブロック図である。
【符号の説明】
【００８４】
１０１、２０１、３０１…客側入力装置
１０２、２０２−１〜２０２−ｎ、３０２−１〜３０２−ｎ…店舗側入力装置
１０３、２０３、３０３…予約管理装置
１０４、２０４、３０４…客側出力装置
１０５、２０５、３０５…記憶装置
１０６、２０６、３０６…予約管理情報記憶部
２０７…ユーザ情報記憶部
１０３１、２０３１…送受信部
１０３２、２０３２…制御部
１０３３、２０３３…予約受け付け取り消し手段
１０３４、２０３４…来店離店時管理情報変更手段
１０３５、２０３５…強制予約取り消し手段
【図１】
2009199299.tif 000003
【図２】
2009199299.tif 000004
【図３】
2009199299.tif 000005
【図４】
2009199299.tif 000006
【図５】
2009199299.tif 000007
【図６】
2009199299.tif 000008
【図７】
2009199299.tif 000009
【図８】
2009199299.tif 000010
【図９】
2009199299.tif 000011
【図１０】
2009199299.tif 000012
【図１１】
2009199299.tif 000013
【図１２】
2009199299.tif 000014
【図１３】
2009199299.tif 000015
【図１４】
2009199299.tif 000016
【図１５】
2009199299.tif 000017
【図１６】
2009199299.tif 000018
【図１７】
2009199299.tif 000019
【図１８】
2009199299.tif 000020